(57)【特許請求の範囲】
【請求項１】
コンクリートホッパの外壁に洗浄ノズル進退用のノズル進退口を穿設し、ホッパ外側にノズル進退口開閉用の外蓋を回動自在に備え、該外蓋とシリンダのピストンロッド先端とをリンク結合して外蓋を開閉自在とし、外蓋にはホッパ内部に向けて洗浄ノズルを配設すると共に、ホッパ内部に外蓋と連結アームにて連結したノズル進退口開閉用の内蓋を備え、洗浄ノズルのホッパ外後退時には内蓋によってノズル進退口を閉鎖する一方、洗浄ノズルのホッパ内進入時には前記外蓋によってノズル進退口を閉鎖するように構成したことを特徴とするコンクリートホッパの洗浄装置。
【発明の詳細な説明】
【０００１】
【発明の属する技術分野】
本発明は、生コンクリート製造用プラントに搭載されるコンクリートホッパの内部を洗浄する洗浄装置に関する。
【０００２】
【従来の技術】
従来、コンクリートホッパ内を洗浄する装置として、高圧水をジェットノズルから噴射させてコンクリートホッパ壁面に付着する生コンクリートを洗い流すようにしたものがある。この洗浄装置は、ホッパの外壁に洗浄ノズル進退用のノズル進退口を穿設し、シリンダのピストンロッド先端部に備えた洗浄ノズルをピストンロッドの伸縮動作により前記ノズル進退口からホッパ内外へ進退自在としたものである。そして、ホッパ内へ進入した洗浄ノズルに高圧水を供給すると、ノズル部分を回転させながら洗浄水を噴射してホッパ内部の隅々まで洗浄できるようにしている。一方、ノズル進退口には洗浄ノズル後退時にホッパ周囲へ生コンクリートが飛散しないように蓋体を備えており、この蓋体はまた別のシリンダにて開閉自在としている。
【０００３】
【発明が解決しようとする課題】
しかしながら、上記洗浄装置では蓋体開閉用と、洗浄ノズル進退用の二つのシリンダを使用しているため、装置構造が複雑となると共に、コスト高となっている。また、洗浄ノズルを進退動作させるためのシリンダにはストロークの長い特殊な長尺シリンダを使用するため、高価であり、かつ故障時には汎用のシリンダのようにすぐには入手できないのでメンテナンス面で問題がある。更に、この長尺シリンダはホッパ外部に大きく突出する構造であるために、洗浄装置をホッパに追加設置する際にはスペース面で無理な場合もある。
【０００４】
本発明は上記の点に鑑み、装置構造をシンプルにして低コスト化と省スペース化を図ったコンクリートホッパの洗浄装置を提供することを課題とする。
【０００５】
【課題を解決するための手段】
本発明は上記の課題を解決するために、請求項１記載のコンクリートホッパの洗浄装置は、コンクリートホッパの外壁に洗浄ノズル進退用のノズル進退口を穿設し、ホッパ外側にノズル進退口開閉用の外蓋を回動自在に備え、該外蓋とシリンダのピストンロッド先端とをリンク結合して外蓋を開閉自在とし、外蓋にはホッパ内部に向けて洗浄ノズルを配設すると共に、ホッパ内部に外蓋と連結アームにて連結したノズル進退口開閉用の内蓋を備え、洗浄ノズルのホッパ外後退時には内蓋によってノズル進退口を閉鎖する一方、洗浄ノズルのホッパ内進入時には前記外蓋によってノズル進退口を閉鎖するように構成したことを特徴としている。
【０００６】
【発明の実施の形態】
本発明のコンクリートホッパの洗浄装置によれば、ミキサから払い出される生コンクリートをコンクリートホッパにて貯留する時には、洗浄ノズルは外蓋と共にホッパ外方へと後退していると共に、ノズル進退口は内蓋にて閉鎖されており、洗浄ノズルに生コンクリートが付着しないようになっている。一方、ホッパ洗浄時には、シリンダのピストンロッドを伸縮調整し、リンク結合している外蓋をホッパ内側方向へと回動させ、洗浄ノズルをホッパ内部へ臨ませると共に、ノズル進退口を内蓋に代わって外蓋にて閉鎖する。そして、洗浄ノズルより洗浄水を噴射し、内壁に付着した生コンクリートを洗い流す。このとき、ノズル進退口は外蓋にて閉鎖されているために洗浄水をホッパ外部へ噴出する恐れはない。そして、再度生コンクリートを貯留する時には、再びシリンダのピストンロッドを伸縮調整して外蓋をホッパ外側方向へと回動させ、洗浄ノズルをホッパ外方へと退避させると共に、ノズル進退口を内蓋にて閉鎖する。
【０００７】
このように、一つのシリンダのみで洗浄ノズルのホッパ内への進退操作と、外蓋と内蓋によるノズル進退口の閉塞切り替え操作を行うことができる。
【０００８】
【実施例】
以下、本発明の実施例を図面に基づいて説明する。
【０００９】
図１は生コンクリート製造プラントの一部を示すものであって、１は各種コンクリート材料を混練して生コンクリートを製造する二軸式のコンクリートミキサであって、混練槽２に二本の平行な混練軸３、３´を貫通し、相反する方向に回転自在に枢支している。混練軸３、３´には半径方向に多数のアーム４を放射状に配設し、該アーム４の先端部には適宜角度を有したブレード５を取り付け、駆動用モータ（図示せず）により所定速度で回転させている。６は混練槽２の下部よりミキサ内の生コンクリートを排出する排出ゲートであって、シリンダ７のピストンロッドの伸縮により開閉するようにしている。
【００１０】
８は二軸式ミキサ１により混練した生コンクリートを一時貯留するコンクリートホッパであって、該コンクリートホッパ８の下部には一時貯留した生コンクリートを所定量ずつ排出してミキサ車などに積み込むゲート装置９を備えている。前記ゲート装置９は可撓性のラバーゲート１０をシリンダ１１のピストンロッドに取り付けたローラ１２の押圧、離反によって開閉するようにしている。
【００１１】
１３はホッパ８内壁に付着する生コンクリートに向けて洗浄水を噴射して剥離するための洗浄ノズルであって、洗浄水供給管１４より供給される洗浄水の水圧によってノズル本体１５を回転させると共に、ノズルヘッド１６をノズル本体１５に対して直交方向に回転させるノズルを採用しており、駆動力を別途要することなく洗浄水を四方八方へ噴射してホッパ８内部を隅々まで洗浄することができるようにしている。
【００１２】
１７はホッパ８の外壁１８に穿設した洗浄ノズル１３進退用のノズル進退口であって、洗浄ノズル１３が十分通過できる程度の大きさを有している。１９はノズル進退口１７を開放・閉鎖する外蓋であり、該外蓋１９の支持片２０を軸受２１に軸支した軸体２２に取り付けている。そして、外蓋１９近傍にはシリンダ２３を略垂直方向に配設し、該ピストンロッド２４先端と前記軸体２２とをリンク材２５にてリンク結合しており、ピストンロッド２４の伸縮に応じて外蓋１９を開閉するようにしている。このように、シリンダ２３と外蓋１９とをリンク材２５にてリンク結合することにより、シリンダ２３のストロークが短いものを採用でき、また、略垂直方向に配設することも可能となり、従来のようにストロークの長いシリンダを水平配置するのと比較して大幅に省スペース化を図ることもできる。
【００１３】
そして、外蓋１９のホッパ側には洗浄ノズル１３を配設しており、図２に示すように、外蓋１９閉鎖時には洗浄ノズル１３がホッパ８内部へ臨むように、また外蓋１９開放時には洗浄ノズル１３がホッパ８外方へと退避するように構成している。
【００１４】
２６は前記外蓋１９と同様にノズル進退口１７を開放、閉鎖する内蓋であって、ホッパ８内部に外蓋１９と略直交方向へ配置しており、外蓋１９とノズル進退口１７を挿通させた連結アーム２７にて連結している。したがって、外蓋１９によるノズル進退口１７の開放・閉塞動作に連動して内蓋２６によるノズル進退口１７の閉塞・開放動作が行われる。なお、本実施例においては、内蓋２６を外蓋１９に対して略直交方向へ配置したが、別段この角度に限定する必要はない。
【００１５】
また、シリンダ２３や外蓋１９の周囲を枠体２８にて包囲しており、枠体２８にカバーを適宜するなどして駆動中のシリンダ２３や外蓋１９に対する作業員の安全を図っている。
【００１６】
しかして、本発明のコンクリートホッパの洗浄装置によれば、ミキサ１にて製造した生コンクリートをホッパ８に払い出して貯留する時には、図２の二点鎖線にて示すように、洗浄ノズル１３をホッパ８外方へ後退させる一方、ノズル進退口１７を内蓋２６にて閉鎖し、ホッパ８外部への粉塵等の飛散防止を行う。
【００１７】
次に、ホッパ８洗浄時には、図２の実線にて示すように、ノズル進退口１７を外蓋１９にて閉鎖して洗浄ノズル１３をホッパ８内部へ臨ませる。このとき、内蓋２６は開放されてホッパ８内部へと逃げている。そして、洗浄水供給管１４を介して洗浄ノズル１３より洗浄水を噴射し、ホッパ８内壁に付着した生コンクリートを洗い流す。このとき、ノズル進退口１７は外蓋１９にて閉鎖されており、洗浄水がホッパ８外部へ噴出する恐れはない。
【００１８】
そして、再度生コンクリートを製造する時には、再び洗浄ノズル１３をホッパ８外方へ後退させると共に、ノズル進退口１７を内蓋２６にて閉鎖して生コンクリートの製造に備える。
【００１９】
なお、本実施例ではノズル進退口１７開閉用の外蓋１９、及び内蓋２６を別々の構成としたが、外蓋１９と内蓋２６とが一体の、例えば断面略Ｌ字形状の板体などを採用し、該板体の一方の板面に洗浄ノズル１３を備えると共に、屈曲部を中心に回動させてノズル進退口１７を開放、閉鎖するようにしてもよい。
【００２０】
【発明の効果】
以上のように本発明の請求項１記載のコンクリートホッパの洗浄装置によれば、コンクリートホッパの外壁に洗浄ノズル進退用のノズル進退口を穿設し、ホッパ外側にノズル進退口開閉用の外蓋を回動自在に備え、該外蓋とシリンダのピストンロッド先端とをリンク結合して外蓋を開閉自在とし、外蓋にはホッパ内部に向けて洗浄ノズルを配設すると共に、ホッパ内部に外蓋と連結アームにて連結したノズル進退口開閉用の内蓋を備え、洗浄ノズルのホッパ外後退時には内蓋によってノズル進退口を閉鎖する一方、洗浄ノズルのホッパ内進入時には前記外蓋によってノズル進退口を閉鎖するように構成したので、一つのシリンダで洗浄ノズルのホッパ内外への進退操作と、外蓋と内蓋によるノズル進退口の閉塞切り替え操作を行うことができ、洗浄装置の構造のシンプル化と低コスト化を図れる。また、ストロークの短い汎用のシリンダを採用できてシリンダも安価になると共に、故障時にも簡単に入手可能となってメンテナンスしやすくなる。更に、洗浄装置のコンパクト化によって既存のホッパに追加設置するのも容易に行える。
【図面の簡単な説明】
【図１】本発明に係るコンクリートホッパの洗浄装置を採用した生コンクリート製造プラントの一部を示す部分切り欠き正面図である。
【図２】図１の要部拡大図である。
【図３】図２の側面図である。
【符号の説明】
１…コンクリートミキサ        ８…コンクリートホッパ
１３…洗浄ノズル              １７…ノズル進退口
１８…外壁                    １９…外蓋
２３…シリンダ                ２４…ピストンロッド
２５…リンク材                ２６…内蓋
２７…連結アーム
【図１】
0004759192.tif 000002
【図２】
0004759192.tif 000003
【図３】
0004759192.tif 000004